(57)【特許請求の範囲】
【請求項１】
盗難防止装置に適用される紛失防止通知方法であって、前記方法は、
前記盗難防止装置とピア装置との間の接続が切断される前の第1の予め設定された期間の歩数値が予め設定された値より大きいかどうかを判断するステップと、
前記歩数値が前記予め設定された値より大きい場合には、前記盗難防止装置と前記ピア装置との間の通信信号の信号品質値シーケンスが、前記接続が切断される前に、前記第1の予め設定された期間において漸進的に減少する傾向を示すかどうかを判断するステップと、
前記信号品質値シーケンスが、前記接続が切断される前の前記第1の予め設定された期間において漸進的に減少する傾向を示す場合には、警報を発するステップと、
を含み、
前記接続が切断される前に前記第1の予め設定された期間において前記信号品質値シーケンスが漸進的に減少する傾向を示さず、かつ、前記接続が、切断された後に第2の予め設定された期間の間回復されない場合には、警報を発するステップ
をさらに含む、方法。
【請求項２】
前記接続が切断される前に前記第1の予め設定された期間において前記信号品質値シーケンスが漸進的に減少する傾向を示さず、かつ、前記接続が、切断された後に第2の予め設定された期間の間に回復された場合には、警報を開始することをスキップするステップ
をさらに含む、請求項1に記載の方法。
【請求項３】
前記歩数値が前記予め設定された値よりも小さく、かつ、前記接続が、切断された後に第2の予め設定された期間の間に回復されない場合には、警報を発するステップ
をさらに含む、請求項1または2に記載の方法。
【請求項４】
前記歩数値が前記予め設定された値よりも小さいと判断され、かつ、前記接続が、切断された後に第2の予め設定された期間の間に回復された場合には、警報を開始することをスキップするステップ
をさらに含む、請求項1から3のいずれか１項に記載の方法。
【請求項５】
前記盗難防止装置とピア装置との間の接続が切断される前の第1の予め設定された期間の歩数値が予め設定された値より大きいかどうかを判断する前記ステップの前に、前記方法は、
前記接続が切断される前の前記第1の予め設定された期間にある前記歩数値を得るように、リアルタイムで前記盗難防止装置によって、各瞬間に先立つ前記第1の予め設定された期間にある歩数をカウントするステップ
をさらに含む、請求項1から4のいずれか１項に記載の方法。
【請求項６】
盗難防止装置であって、
前記盗難防止装置とピア装置との間の接続が切断される前の第1の予め設定された期間の歩数値が予め設定された値より大きいかどうかを判断するように構成された判断部であって、
前記歩数値が前記予め設定された値より大きい場合には、前記盗難防止装置と前記ピア装置との間の通信信号の信号品質値シーケンスが、前記接続が切断される前に、前記第1の予め設定された期間において漸進的に減少する傾向を示すかどうかを判断するようにさらに構成される判断部と、
前記信号品質値シーケンスが、前記接続が切断される前の前記第1の予め設定された期間において漸進的に減少する傾向を示す場合に、警報を発するように構成される警報部と
を含み、
前記警報部は、前記接続が切断される前に前記第1の予め設定された期間において前記信号品質値シーケンスが漸進的に減少する傾向を示さず、かつ、前記接続が、切断された後に第2の予め設定された期間の間回復されない場合に、警報を発するようにさらに構成される、
盗難防止装置。
【請求項７】
前記警報部は、前記歩数値が前記予め設定された値よりも小さいと判断され、かつ、前記接続が、切断された後に第2の予め設定された期間の間に回復されない場合に、警報を発するようにさらに構成される、
請求項6に記載の盗難防止装置。
【請求項８】
前記警報部は、前記歩数値が前記予め設定された値よりも小さく、かつ、前記信号接続が、第2の予め設定された期間の後に回復された場合に、警報を開始することをスキップするようにさらに構成される、
請求項6または7に記載の盗難防止装置。
【請求項９】
計数部をさらに含み、
前記計数部は、前記判断部が、前記盗難防止装置とピア装置との間の接続が切断される前の第1の予め設定された期間の歩数値が予め設定された値より大きいかどうかを判断する前に、前記接続が切断される前の前記第1の予め設定された期間にある前記歩数値を得るように、各瞬間に先立つ前記第1の予め設定された期間にある歩数をリアルタイムでカウントするように構成される、
請求項6から8のいずれか１項に記載の盗難防止装置。
【請求項１０】
盗難防止装置であって、
プロセッサを含み、前記プロセッサは、前記盗難防止装置とピア装置との間の接続が切断される前の第1の予め設定された期間の歩数値が予め設定された値より大きいかどうかを判断し、前記歩数値が前記予め設定された値より大きい場合には、前記盗難防止装置と前記ピア装置との間の通信信号の信号品質値シーケンスが、前記接続が切断される前に、前記第1の予め設定された期間において漸進的に減少する傾向を示すかどうかを判断し、
前記信号品質値シーケンスが、前記接続が切断される前の前記第1の予め設定された期間において漸進的に減少する傾向を示す場合に、警報を発するように警報を起動させる
ように構成され、
前記プロセッサは、前記接続が切断される前に前記第1の予め設定された期間において前記信号品質値シーケンスが漸進的に減少する傾向を示さず、かつ、前記接続が、切断された後に第2の予め設定された期間の間回復されない場合に、警報を発するように警報を起動させるように構成される、
盗難防止装置。
【請求項１１】
前記プロセッサは、前記歩数値が前記予め設定された値よりも小さく、かつ、前記接続が、切断された後に第2の予め設定された期間の間に回復されないと判断した場合に、警報を発するように警報を起動させるようにさらに構成される、
請求項10に記載の盗難防止装置。
【請求項１２】
前記プロセッサは、前記歩数値が前記予め設定された値よりも小さく、かつ、前記信号接続が、第2の予め設定された期間の後に回復された場合に、警報を開始することをスキップするようにさらに構成される、
請求項10または11に記載の盗難防止装置。
【請求項１３】
加速度センサをさらに含み、
前記加速度センサは、前記プロセッサに接続され、ユーザの動きを検出して、検出したデータを前記プロセッサに報告するように構成され、前記加速度センサによって報告された前記データに従って、前記盗難防止装置と前記ピア装置との間の前記接続が切断される前の前記第1の予め設定された期間の前記歩数値が前記予め設定された値より大きいかどうかを判断する前に、前記プロセッサは、各瞬間に先立って前記第1の予め設定された期間にある歩数をリアルタイムでカウントする、
請求項10から12のいずれか１項に記載の盗難防止装置。
【請求項１４】
請求項1から5のいずれかの方法をコンピュータに実行させるためのプログラム。
【発明の詳細な説明】
【技術分野】
【０００１】
本発明は、通信分野に関し、特に、紛失防止通知方法および盗難防止装置に関する。
【背景技術】
【０００２】
ウェアラブルブームの台頭に伴い、様々なウェアラブルデバイス製品が市場に現れている。これらのタイプのウェアラブルデバイス製品は、人体と常に接触し続け、ウェアラブルデバイス製品のほとんどは、たとえば携帯電話の紛失通知に使用されるリストバンドなどの様々なタイプの通知機能をサポートする。電源を入れた後、リストバンドはブルートゥース（登録商標）を使用して携帯電話に接続し、安定したブルートゥース接続を確立する。リストバンドと携帯電話との距離が特定の距離を超えると、リストバンドと携帯電話との間のブルートゥース接続が切断され、リストバンドが振動して、携帯電話が紛失している可能性があることをユーザに知らせる。
【０００３】
しかし、携帯電話とリストバンドとの距離が予め設定された距離を超えていなくても、ブルートゥース接続が切断された場合には、誤った振動通知を与えることがある（たとえば、リストバンドと携帯電話との間の障害は、チャネル環境の劣化を引き起こす）。
【発明の概要】
【０００４】
本発明の実施形態は、紛失防止通知方法および盗難防止装置を提供し、それはブルートゥースの紛失通知の精度を向上させることができ、紛失していない場合の誤った振動通知を回避することができる。
【課題を解決するための手段】
【０００５】
上記の目的を達成するために、本発明の実施形態で用いられる技術的解決策は、以下の通りである。
【０００６】
第1の態様によれば、紛失防止通知方法が開示され、盗難防止装置に適用され、本方法は、
盗難防止装置とピア装置との間の接続が切断される前の第1の予め設定された期間の歩数値が予め設定された値より大きいかどうかを判断するステップと、
歩数値が予め設定された値より大きい場合には、盗難防止装置とピア装置との間の通信信号の信号品質値シーケンスが、接続が切断される前に、第1の予め設定された期間において漸進的に減少する傾向を示すかどうかを判断するステップと、
信号品質値シーケンスが、接続が切断される前の第1の予め設定された期間において漸進的に減少する傾向を示す場合には、警報を発するステップと、
を含む。
【０００７】
第1の態様を参照すると、第1の態様の第1の可能な実施方法では、本方法は、
接続が切断される前に第1の予め設定された期間において信号品質値シーケンスが漸進的に減少する傾向を示さず、かつ、接続が、切断された後に第2の予め設定された期間の間回復されない場合には、警報を発するステップをさらに含む。
【０００８】
第1の態様を参照すると、第1の態様の第2の可能な実施方法では、本方法は、
接続が切断される前に第1の予め設定された期間において信号品質値シーケンスが漸進的に減少する傾向を示さず、かつ、接続が、切断された後に第2の予め設定された期間の間回復された場合には、警報を開始することをスキップするステップをさらに含む。
【０００９】
第1の態様を参照すると、第1の態様の第3の可能な実施方法では、本方法は、
歩数値が予め設定された値よりも小さいと判断され、かつ、接続が、切断された後に第2の予め設定された期間の間に回復されない場合には、警報を発するステップをさらに含む。
【００１０】
第1の態様を参照すると、第1の態様の第4の可能な実施方法では、本方法は、
歩数値が予め設定された値よりも小さいと判断され、かつ、接続が、切断された後に第2の予め設定された期間の間に回復された場合には、警報を開始することをスキップするステップをさらに含む。
【００１１】
第1の態様を参照すると、第1の態様の第5の可能な実施方法では、
盗難防止装置とピア装置との間の接続が切断される前の第1の予め設定された期間の歩数値が予め設定された値より大きいかどうかを判断するステップの前に、
本方法は、接続が切断される前の第1の予め設定された期間にある歩数値を得るように、リアルタイムで盗難防止装置によって、各瞬間に先立つ第1の予め設定された期間にある歩数をカウントするステップをさらに含む。
【００１２】
第2の態様によれば、盗難防止装置が開示され、盗難防止装置は、
盗難防止装置とピア装置との間の接続が切断される前の第1の予め設定された期間の歩数値が予め設定された値より大きいかどうかを判断するように構成された判断部であって、
歩数値が予め設定された値より大きい場合には、盗難防止装置とピア装置との間の通信信号の信号品質値シーケンスが、接続が切断される前に、第1の予め設定された期間において漸進的に減少する傾向を示すかどうかを判断するようにさらに構成される判断部と、
信号品質値シーケンスが、接続が切断される前の第1の予め設定された期間において漸進的に減少する傾向を示す場合に、警報を発するように構成される警報部と、を含む。
【００１３】
第2の態様を参照すると、第2の態様の第1の可能な盗難防止装置では、警報部は、接続が切断される前に第1の予め設定された期間において信号品質値シーケンスが漸進的に減少する傾向を示さず、かつ、接続が、切断された後に第2の予め設定された期間の間回復されない場合に、警報を発するようにさらに構成される。
【００１４】
第2の態様を参照すると、第2の態様の第2の可能な盗難防止装置では、警報部は、歩数値が予め設定された値よりも小さいと判断され、かつ、接続が、切断された後に第2の予め設定された期間の間に回復されない場合に、警報を発するようにさらに構成される。
【００１５】
第2の態様を参照すると、第2の態様の第3の可能な盗難防止装置では、警報部は、歩数値が予め設定された値よりも小さいと判断され、かつ、接続が、切断された後に第2の予め設定された期間の間に回復された場合に、警報を開始することをスキップするようにさらに構成される。
【００１６】
第2の態様を参照すると、第2の態様の第4の可能な盗難防止装置では、警報部は、歩数値が予め設定された値よりも小さく、かつ、信号接続が第2の予め設定された期間の後に回復された場合に、警報を開始することをスキップするようにさらに構成される。
【００１７】
第2の態様を参照すると、第2の態様の第5の可能な盗難防止装置では、
盗難防止装置は、計数部をさらに含み、
計数部は、判断部が、盗難防止装置とピア装置との間の接続が切断される前の第1の予め設定された期間の歩数値が予め設定された値より大きいかどうかを判断する前に、接続が切断される前の第1の予め設定された期間にある歩数値を得るように、各瞬間に先立つ第1の予め設定された期間にある歩数をリアルタイムでカウントするように構成される。
【００１８】
第3の態様によれば、盗難防止装置が開示され、盗難防止装置は、
プロセッサを含み、プロセッサは、盗難防止装置とピア装置との間の接続が切断される前の第1の予め設定された期間の歩数値が予め設定された値より大きいかどうかを判断し、歩数値が予め設定された値より大きい場合には、盗難防止装置とピア装置との間の通信信号の信号品質値シーケンスが、接続が切断される前に、第1の予め設定された期間において漸進的に減少する傾向を示すかどうかを判断し、
信号品質値シーケンスが、接続が切断される前の第1の予め設定された期間において漸進的に減少する傾向を示す場合に、警報を発するように警報を起動させる
ように構成される。
【００１９】
第3の態様を参照すると、第3の態様の第1の可能な盗難防止装置では、プロセッサは、接続が切断される前に第1の予め設定された期間において信号品質値シーケンスが漸進的に減少する傾向を示さず、かつ、接続が、切断された後に第2の予め設定された期間の間回復されない場合に、警報を発するように警報を起動させるようにさらに構成される。
【００２０】
第3の態様を参照すると、第3の態様の第2の可能な盗難防止装置では、プロセッサは、歩数値が予め設定された値よりも小さく、かつ、接続が、切断された後に第2の予め設定された期間の間に回復されないと判断した場合に、警報を発するように警報を起動させるようにさらに構成される。
【００２１】
第3の態様を参照すると、第3の態様の第3の可能な盗難防止装置では、
プロセッサは、歩数値が予め設定された値よりも小さく、かつ、接続が、切断された後に第2の予め設定された期間の間に回復されていると判断した場合に、警報を開始することをスキップするようにさらに構成される。第3の態様を参照すると、第3の態様の第4の可能な盗難防止装置では、プロセッサは、歩数値が予め設定された値よりも小さく、かつ、信号接続が第2の予め設定された期間の後に回復された場合に、警報を開始することをスキップするようにさらに構成される。
【００２２】
第3の態様を参照すると、第3の態様の第5の可能な盗難防止装置では、盗難防止装置は、加速度センサをさらに含み、
加速度センサは、プロセッサに接続され、ユーザの動きを検出して、検出したデータをプロセッサに報告するように構成され、加速度センサによって報告されたデータに従って、盗難防止装置とピア装置との間の接続が切断される前の第1の予め設定された期間の歩数値が予め設定された値より大きいかどうかを判断する前に、プロセッサは、各瞬間に先立って第1の予め設定された期間にある歩数をリアルタイムでカウントする。
【００２３】
本発明の実施形態に提供される紛失防止通知方法および盗難防止装置によれば、盗難防止装置の接続が切断された場合には、盗難防止装置は、接続が切断される瞬間に先立つ第1の予め設定された期間にある歩数値を直ちに決定する。歩数値が予め設定された値より大きいと判断された場合には、盗難防止装置とピア装置との間の通信信号の信号強度値が、接続が切断される前に、第1の予め設定された期間において漸進的に減少する傾向を示すかどうかが判断される。盗難防止装置とピア装置との間の通信信号の信号強度値が、接続が切断される前に、第1の予め設定された期間において漸進的に減少する傾向を示す場合には、警報が直ちに発せられる。歩数値が予め設定された値より大きく、かつ、信号強度値が、接続が切断される前の第1の予め設定された期間において漸進的に減少する傾向を示さず、かつ、接続が、切断された後に第2の予め設定された期間の間に回復されない場合には、警報が直ちに発せられる。従来技術では、盗難防止装置は、信号接続が切断された後に直ちに警報を発する。実際には、ピア装置と盗難防止装置との距離が予め設定された距離を超えていなくても、信号接続が切断される場合があり得る（たとえば、盗難防止装置とピア装置との間の障害は、チャネル環境の劣化を引き起こす）。したがって、盗難防止装置は、誤った振動通知を与える。本発明の実施形態で提供される紛失防止通知方法は、ブルートゥースの紛失通知の精度を向上させることができ、紛失していない場合の誤った振動通知を回避することができる。
【００２４】
本発明の実施形態において、または従来技術において、技術的解決策をより明確に説明するために、実施形態または従来技術の説明に必要な図面を以下に簡単に説明する。明らかに、以下の説明における添付の図面は、本発明のいくつかの実施形態だけを示すものであり、当業者であれば、創造的努力なしに、これらの添付図面から他の図面をさらに導出することができる。
【図面の簡単な説明】
【００２５】
【図１】本発明の実施形態1による紛失防止通知方法の概略フローチャートである。
【図２】本発明の実施形態2による紛失防止通知方法の概略フローチャートである。
【図３】本発明の実施形態3による紛失防止通知方法の概略フローチャートである。
【図４】本発明の実施形態4に係る盗難防止装置の構成ブロック図である。
【図５】本発明の実施形態5に係る盗難防止装置の構成ブロック図である。
【発明を実施するための形態】
【００２６】
以下では、本発明の実施形態の添付図面を参照して、本発明の実施形態の技術的解決策について明白かつ完全に説明する。明らかに、記載された実施形態は、本発明の実施形態の一部にすぎず、そのすべてではない。創造的努力なしに本発明の実施形態に基づいて当業者によって得られたすべての他の実施形態は、本発明の保護範囲に含まれるものとする。
【００２７】
実施形態1
本発明のこの実施形態は、紛失防止通知方法を提供し、それは盗難防止装置に適用される。図1に示すように、本方法は以下のステップを含む。
【００２８】
101．盗難防止装置とピア装置との間の接続が切断される前の第1の予め設定された期間の歩数値が予め設定された値より大きいかどうかを判断する。
【００２９】
第1の予め設定された期間は、接続が切断される瞬間に先立つ時間期間である。盗難防止装置は、ウェアラブルな盗難防止装置、たとえば、ブルートゥース盗難防止リストバンドであってもよい。ピア装置は、携帯電話であってもよい。盗難防止装置およびピア装置は、ブルートゥースを用いて接続されてもよいし、別の信号を用いて接続されてもよい。
【００３０】
ここで、接続が切断される前の第1の予め設定された期間とは、接続が切断された瞬間から後方に開始する第1の予め設定された期間に等しい期間を指すことに留意されたい。たとえば、第1の予め設定された期間が3秒であり、21秒目に接続が切断された場合には、18秒目から21秒目までの期間の歩数値が予め設定された値よりも大きいかどうかが判断される。
【００３１】
盗難防止装置は、接続が切断される前の第1の予め設定された期間にある歩数値を得るために、各瞬間に先立って第1の予め設定された期間にある歩数をリアルタイムでカウントする。すなわち、任意の瞬間について、その瞬間に先立つ第1の予め設定された期間の歩数がカウントされる。
【００３２】
第1の予め設定された期間が3秒である場合には、盗難防止装置は、各瞬間に先立つ3秒間にある歩数をリアルタイムでカウントする。したがって、21秒目に信号接続が切断された場合には、盗難防止装置は、18秒目から21秒目までの歩数値を取得する。30秒目に信号接続が切断された場合には、盗難防止装置は、27秒目から30秒目までの歩数値を取得する。
【００３３】
ステップ101の前に、盗難防止装置は、接続が切断された瞬間に先立つ第1の予め設定された期間にある歩数値を取得することをさらに必要とする。盗難防止装置は、内部加速度センサを用いてユーザの動きを検出することができるので、各瞬間に先立つ第1の予め設定された期間にある歩数をリアルタイムでカウントし、接続が切断される瞬間に先立つ第1の予め設定された期間にある歩数を取得することができる。
【００３４】
第1の予め設定された期間は、盗難防止装置のユーザによって設定することができ、それは本明細書に限定されないことに留意されたい。一般に、ピア装置が盗難防止装置から離れているので、またはユーザの腕が揺れてチャネル品質が低下するので、信号接続が切断されることがあり得る。したがって、信号接続が切断された直後の振動通知は、誤った通知である場合があり得る。しかし、予め設定された値と信号接続が切断される前の期間にある歩数値とをさらに比較することによって、それは、ピア装置が盗難防止装置から離れたことにより信号接続が切断されているかどうかを、より正確に判断することができる。
【００３５】
102．歩数値が予め設定された値より大きい場合には、盗難防止装置とピア装置との間の通信信号の信号品質値シーケンスが、接続が切断される前に、第1の予め設定された期間において漸進的に減少する傾向を示すかどうかを判断する。
【００３６】
ここで、信号品質値は、信号のRSSI（Received Signal Strength Indication、Received Signal Strength Indicator）値に対してアンチパルス干渉平均フィルタ処理を行った後に得られる。理論的には、信号のRSSI値は、距離が徐々に増加するのに伴って指数関数的に減少する。無線チャネル内のランダム要因よる信号との干渉のために、得られたRSSI値は不正確である可能性がある。したがって、信号のRSSI値に対して、アンチパルス干渉平均フィルタリング処理を行う必要がある。正確なRSSI値が得られた後に、次の決定が行われる。ここで、正確なRSSI値は、本発明のこの実施形態における信号品質値シーケンスであることに留意されたい。確かに、チャネル品質がかなり良好であり、信号との干渉が無視される場合には、信号の得られたRSSI値は、本発明における信号品質値として直接使用することができる。
【００３７】
盗難防止装置は、各瞬間に先立つ第1の予め設定された期間における信号品質値シーケンスの変動傾向に関するリアルタイム統計を収集する。たとえば、第1の予め設定された期間が3秒であり、接続が21秒目で切断される場合には、18秒目から21秒目までの期間における信号品質値シーケンスに関する統計が収集される。0．5秒毎に信号品質値シーケンスが取得される場合には、6つの信号品質値を含む信号品質値シーケンスが18秒目から21秒目までに得られ、6つの信号品質値シーケンスの変動傾向を決定する必要がある。
【００３８】
103．信号品質値シーケンスが、接続が切断される前の第1の予め設定された期間において漸進的に減少する傾向を示す場合には、警報を発する。
【００３９】
警報は、盗難防止装置のブザー音またはLED光の点滅の方法であってもよい。
【００４０】
信号接続が切断された後に、歩数値が予め設定された値より大きい場合には、それはピア装置が盗難防止装置から離れている可能性があることを示す。信号接続が切断される前の第1の予め設定された期間に信号品質値シーケンスが漸進的に減少すると判断された場合にのみ、ピア装置が盗難防止装置から離れていることが確認され得る。信号品質値シーケンスが、信号接続が切断される前の第1の予め設定された期間において漸進的に減少しない場合には、それはピア装置が盗難防止装置から離れていないことを示す。
【００４１】
したがって、信号品質値シーケンスが、信号接続が切断される前の第1の予め設定された期間に漸進的に減少する傾向を示し、かつ、ピア装置が盗難防止装置から離れている場合にはこれはピア装置が盗難されたか、または紛失した可能性が高いことを示し、ピア装置がなくなったことをユーザに知らせるために直ちに警報が発せられる。
【００４２】
さらに、信号の信号品質値シーケンスが、接続が切断される前の第1の予め設定された期間において漸進的に減少しない場合には、それはピア装置が盗難防止装置から離れていないことを示す。一般に、ピア装置が盗難防止装置から離れておらず、かつ、接続が切断された後に第2の予め設定された期間に自動的に回復された場合には、警報を発する必要がない。
【００４３】
接続が切断される前の第1の予め設定された期間に信号の信号品質値シーケンスが漸進的に減少せず、かつ、接続が切断された後に第2の予め設定された期間に接続が回復しない場合には、ピア装置がなくなった可能性があることをユーザに通知するために警報を発する必要がある。接続が切断された後に第2の予め設定された期間に接続が回復された場合には、それはユーザの腕の振れにより信号接続が切断された可能性があることを示す。この場合、ある期間に信号接続が自動的に回復され得るので、したがって、ユーザに通知するために警報を発する必要はない。
【００４４】
さらに、歩数値が予め設定された値より小さいと盗難防止装置が判断し、かつ、切断された後に第2の予め設定された期間に接続が回復しない場合には、警報が発せられる。歩数値が予め設定された値より小さいと盗難防止装置が判断し、かつ、切断された後に第2の予め設定された期間に接続が回復した場合には、警報は開始されない。
【００４５】
好ましくは、本発明の好ましい実施形態では、盗難防止装置とピア装置との間の接続が切断される前の第1の予め設定された期間の歩数値が予め設定された値より大きいかどうかを判断するステップの前に、本方法は、接続が切断される前の第1の予め設定された期間にある歩数値を得るように、リアルタイムで盗難防止装置によって、各瞬間に先立つ第1の予め設定された期間にある歩数をカウントするステップをさらに含む。すなわち、任意の瞬間について、その瞬間に先立つ第1の予め設定された期間の歩数がカウントされる。
【００４６】
第1の予め設定された期間が3秒である場合には、盗難防止装置は、各瞬間に先立つ3秒間にある歩数をリアルタイムでカウントする。したがって、21秒目に信号接続が切断された場合には、盗難防止装置は、18秒目から21秒目までの歩数値を取得する。30秒目に信号接続が切断された場合には、盗難防止装置は、27秒目から30秒目までの歩数値を取得する。なお、予め設定された値は、盗難防止装置とピア装置との間のセキュリティ距離に対応する歩数であり、第2の予め設定された期間は、盗難防止装置とピア装置との間のセキュリティ距離において信号接続が回復される期間である。第1の予め設定された期間、第2の予め設定された期間、および予め設定された値はすべて、盗難防止装置のユーザによって設定されてもよいし、出荷前にメーカーによって設定されてもよく、それは本明細書に限定されない。
【００４７】
確かに、盗難防止装置とピア装置との間の信号接続が切断されたことを検出した後に、盗難防止装置は直接的に警報を発することができ、これはまた従来技術の解決策である。本発明のこの実施形態では、盗難防止装置に2つのモードが設定される。1つのモードでは、ブルートゥース接続が切断されたことが検出されると、直ちに振動警報が発せられる。他のモードでは、この実施形態におけるステップ101〜103を実行する。2つのモードは、盗難防止装置のユーザによって選択し、設定することができ、それは本明細書に限定されない。
【００４８】
本発明のこの実施形態に提供される紛失防止通知方法によれば、盗難防止装置の接続が切断された場合には、盗難防止装置は、接続が切断される瞬間に先立つ第1の予め設定された期間にある歩数値を直ちに決定する。歩数値が予め設定された値より大きいと判断された場合には、盗難防止装置とピア装置との間の通信信号の信号強度値シーケンスが、第1の予め設定された期間において漸進的に減少する傾向を示すかどうかが判断される。盗難防止装置とピア装置との間の通信信号の信号強度値シーケンスが、第1の予め設定された期間において漸進的に減少する傾向を示す場合には、警報が直ちに発せられる。歩数値が予め設定された値より大きく、かつ、信号強度値シーケンスが第1の予め設定された期間において漸進的に減少する傾向を示さず、かつ、接続が、切断された後に第2の予め設定された期間の間に回復されない場合には、警報が直ちに発せられる。従来技術では、盗難防止装置は、信号接続が切断された後に直ちに警報を発する。実際には、ピア装置と盗難防止装置との距離が予め設定された距離を超えていなくても、信号接続が切断される場合があり得る（たとえば、盗難防止装置とピア装置との間の障害は、チャネル環境の劣化を引き起こす）。したがって、盗難防止装置は、誤った振動通知を与える。本発明のこの実施形態で提供される紛失防止通知方法は、ブルートゥースの紛失通知の精度を向上させることができ、紛失していない場合の誤った振動通知を回避することができる。
【００４９】
実施形態2
本発明のこの実施形態は、紛失防止通知方法を提供する。図2に示すように、本方法は以下のステップを含む。
【００５０】
201．盗難防止装置とピア装置との接続が切断されたことを検出すると、盗難防止装置は、接続が切断される前の第1の予め設定された期間の歩数値が予め設定された値よりも大きいかどうかを判断する。
【００５１】
第1の予め設定された期間は、接続が切断される瞬間に先立つ時間期間である。予め設定された値は、盗難防止装置のユーザによって設定されるか、または出荷時にメーカーによって設定されるが、これは本明細書に限定されない。
【００５２】
一般に、ピア装置が盗難防止装置から離れているので、またはユーザの腕が揺れてチャネル品質が低下するので、信号接続が切断されることがあり得る。したがって、信号接続が切断された直後の振動通知は、誤った通知である場合があり得る。したがって、振動通知の精度を向上させるためには、さらなる判断が必要である。予め設定された値と信号接続が切断される前の期間にある歩数値とをさらに比較することによって、それは、ピア装置が盗難防止装置から離れたことにより信号接続が切断されているかどうかを、より正確に判断することができる。歩数値が予め設定された値より大きい場合には、それはピア装置が盗難防止装置から離れている可能性があることを示し、歩数値が予め設定された値よりも大きくない場合には、それはピア装置が盗難防止装置から離れておらず、ユーザの腕の振れにより信号接続が切断されたことを示す。
【００５３】
接続が切断される前の第1の予め設定された期間における歩数値が予め設定された値より大きい場合には、ステップ202が実行され、接続が切断される前の第1の予め設定された期間の歩数値が予め設定された値よりも大きくない場合には、ステップ204が実行される。
【００５４】
202．盗難防止装置とピア装置との間の通信信号の信号品質値シーケンスが、接続が切断される前に、第1の予め設定された期間において漸進的に減少する傾向を示すかどうかを判断する。
【００５５】
接続が切断される前の第1の予め設定された期間において信号品質値シーケンスが漸進的に減少する傾向を示す場合には、ステップ203が実行され、接続が切断される前の第1の予め設定された期間において信号品質値シーケンスが漸進的に減少する傾向を示さない場合には、ステップ204が実行される。
【００５６】
203．警報を発する。
【００５７】
接続が切断される前の第1の予め設定された期間において信号品質値シーケンスが漸進的に減少する場合には、接続が切断される前の第1の予め設定された期間においてピア装置と盗難防止装置との間の距離が漸進的に増加することをそれが示し、本発明のこの実施形態における盗難防止装置は一般にウェアラブル装置なので、それはピア装置がユーザから離れていることを示し、ピア装置が紛失している可能性が高い。したがって、ユーザに通知するために直ちに警報を発するべきである。
【００５８】
204．切断された後に接続が第2の予め設定された期間に回復されているかどうかを判断する。
【００５９】
ここで、歩数値が予め設定された値より大きくないこと、または接続が切断される前の第1の予め設定された期間に信号品質値シーケンスが漸進的に減少する傾向を示さないことが前提とされている。この2つの場合は共に、ピア装置が盗難防止装置から離れていないことを示す。一般に、ピア装置が盗難防止装置から離れていない場合は、ユーザの腕の振れにより信号接続が切断されるので、信号接続は極めて短時間で回復する。したがって、信号接続が回復されたかどうかは、接続が切断された後に第2の予め設定された期間において検出される必要がある。
【００６０】
接続が回復された場合には、警報は必要がなく、接続が回復されない場合には、振動警報が必要である。すなわち、接続が回復された場合には、ステップ205が実行され、信号接続が回復されない場合には、ステップ203が実行される。
【００６１】
205．振動警報の開始をスキップする。
【００６２】
この場合には、信号接続は正常に戻る。
【００６３】
本発明のこの実施形態に提供される紛失防止通知方法によれば、盗難防止装置の接続が切断された場合には、盗難防止装置は、接続が切断される瞬間に先立つ第1の予め設定された期間にある歩数値を直ちに決定する。歩数値が予め設定された値より大きいと判断された場合には、盗難防止装置とピア装置との間の通信信号の信号強度値が、接続が切断される前に、第1の予め設定された期間において漸進的に減少する傾向を示すかどうかが判断される。盗難防止装置とピア装置との間の通信信号の信号強度値が、接続が切断される前に、第1の予め設定された期間において漸進的に減少する傾向を示す場合には、警報が直ちに発せられる。歩数値が予め設定された値より大きく、かつ、信号強度値が、接続が切断される前の第1の予め設定された期間において漸進的に減少する傾向を示さず、かつ、接続が、切断された後に第2の予め設定された期間の間に回復されない場合には、警報が直ちに発せられる。従来技術では、盗難防止装置は、信号接続が切断された後に直ちに警報を発する。実際には、ピア装置と盗難防止装置との距離が予め設定された距離を超えていなくても、信号接続が切断される場合があり得る（たとえば、盗難防止装置とピア装置との間の障害は、チャネル環境の劣化を引き起こす）。したがって、盗難防止装置は、誤った振動通知を与える。本発明のこの実施形態で提供される紛失防止通知方法は、ブルートゥースの紛失通知の精度を向上させることができ、紛失していない場合の誤った振動通知を回避することができる。
【００６４】
実施形態3
本発明のこの実施形態は、紛失防止通知方法を提供する。ブルートゥースを使用することによって、盗難防止装置とピア装置との間の接続が確立される。第1の予め設定された期間は5秒に等しく、第2の予め設定された期間は2秒に等しく、予め設定された値は5に等しい。盗難防止装置はブルートゥースリストバンドであり、ピア装置は携帯電話である。図3に示すように、本方法は以下のステップを含む。
【００６５】
301．ブルートゥースリストバンドと携帯電話との間のブルートゥース接続は正常である。
【００６６】
302．ブルートゥースリストバンドは、ブルートゥースリストバンドと携帯電話との間のブルートゥース接続が切断されたことを検出する。
【００６７】
303．モードを決定する。
【００６８】
本発明のこの実施形態で提供される方法では、ブルートゥースリストバンドは2つのモードを有し、モード1では、ブルートゥースが切断されると直ちに警報を発し、モード2では、警報を発する精度を向上させるために多段階判定を実行する。
【００６９】
ユーザにより設定されたモードがモード1である場合には、ステップ304が実行され、ユーザにより設定されたモードがモード2である場合には、ステップ305が実行される。
【００７０】
304．警報を発する。
【００７１】
305．ブルートゥース接続が切断される前の5秒間の歩数値が5より大きいかどうかを判断する。
【００７２】
ここでブルートゥース接続が切断される前の「5秒」とは、ブルートゥース接続が切断された瞬間から後方に開始する5秒に等しい時間期間を指す。たとえば、ブルートゥース接続が21秒目に切断された場合には、16秒目から21秒目までの期間の歩数値が5よりも大きいかどうかが判断される。
【００７３】
ブルートゥース接続が切断される前の5秒間の歩数値が5より大きい場合には、ステップ306が実行され、ブルートゥース接続が切断される前の5秒間の歩数値が5より大きくない場合には、ステップ307が実行される。
【００７４】
306．ブルートゥース接続が切断される前の5秒間に、ブルートゥース信号の信号品質値シーケンスが漸進的に減少するかどうかを判断する。
【００７５】
ブルートゥース接続が切断される前の5秒間にブルートゥース信号の信号品質値シーケンスが漸進的に減少する場合には、ステップ304が実行され、ブルートゥース接続が切断される前の5秒間にブルートゥース信号の信号品質値シーケンスが漸進的に減少しない場合には、ステップ307が実行される。
【００７６】
307．ブルートゥースが切断された瞬間の3秒後から、ブルートゥース接続が回復されたかどうかを検出する。
【００７７】
ブルートゥース接続が回復された場合には、ステップ301が実行され、ブルートゥース接続が回復されない場合には、ステップ304が実行される。
【００７８】
本発明のこの実施形態で提供される紛失防止通知方法によれば、ユーザの選択された構成により、リストバンドは従来のモード1で動作してもよいし、モード2で動作してもよい。二重判定機構が使用される。第1に、第1段階の判定は歩数値に対して実行され、ここで判定は最も誤った紛失判定シナリオをカバーすることができ、第1段階の判定において歩数が特定の値より大きいと判断された後にのみ、第2段階の判定が実行され、ここで信号品質値シーケンスが減少法則に従わない場合には、誤った紛失判定シナリオとみなされて、警報は開始されない。さらに、携帯電話がリストバンドから離れていないと判断されてから特定の時間が経過した後に、ブルートゥース接続が回復したかどうかが判断され、ブルートゥース接続が回復していないと判断された後にのみ警報が開始されるので、リストバンドが誤って振動する現象が頻繁に発生することを回避することができる。ブルートゥースの紛失判定精度を向上させるための技術的解決策は、リストバンドブルートゥースの紛失判定精度を効果的に向上させ、腕振りなどの要因による誤った振動警報を回避し、製品のユーザエクスペリエンスを向上させることができる。
【００７９】
実施形態4
本発明のこの実施形態は、盗難防止装置を提供する。図4に示すように、盗難防止装置は、判断部401および警報部402を含む。
【００８０】
判断部401は、盗難防止装置とピア装置との間の接続が切断される前の第1の予め設定された期間の歩数値が予め設定された値より大きいかどうかを判断するように構成される。
【００８１】
判断部401は、歩数値が予め設定された値より大きい場合には、盗難防止装置とピア装置との間の通信信号の信号品質値シーケンスが、接続が切断される前に、第1の予め設定された期間において漸進的に減少する傾向を示すかどうかを判断するようにさらに構成される。
【００８２】
警報部402は、信号品質値シーケンスが、接続が切断される前の第1の予め設定された期間において漸進的に減少する傾向を示す場合に、警報を発するように構成される。
【００８３】
警報部402は、接続が切断される前に第1の予め設定された期間において信号品質値シーケンスが漸進的に減少する傾向を示さず、かつ、接続が、切断された後に第2の予め設定された期間に回復されない場合に、警報を発するようにさらに構成される。
【００８４】
警報部402は、歩数値が予め設定された値よりも小さいと判断され、かつ、接続が、切断された後に第2の予め設定された期間に回復されない場合に、警報を発するようにさらに構成される。
【００８５】
警報部402は、歩数値が予め設定された値よりも小さいと判断され、かつ、接続が、切断された後に第2の予め設定された期間に回復された場合に、警報を開始することをスキップするようにさらに構成される。
【００８６】
警報部402は、歩数値が予め設定された値よりも小さく、かつ、信号接続が第2の予め設定された期間の後に回復された場合に、警報を開始することをスキップするようにさらに構成される。
【００８７】
盗難防止装置は、計数部をさらに含む。
【００８８】
計数部は、判断部401が、盗難防止装置とピア装置との間の接続が切断される前の第1の予め設定された期間の歩数値が予め設定された値より大きいかどうかを判断する前に、接続が切断される前の第1の予め設定された期間にある歩数値を得るように、各瞬間に先立つ第1の予め設定された期間にある歩数をリアルタイムでカウントするように構成される。
【００８９】
上記の第1の予め設定された期間、第2の予め設定された期間、および予め設定された値はすべて、盗難防止装置のユーザによって設定されるが、これに限定されるものではない。
【００９０】
本発明のこの実施形態に提供される盗難防止装置によれば、盗難防止装置の接続が切断された場合には、盗難防止装置は、接続が切断される瞬間に先立つ第1の予め設定された期間にある歩数値を直ちに決定する。歩数値が予め設定された値より大きいと判断された場合には、盗難防止装置とピア装置との間の通信信号の信号強度値が、接続が切断される前に、第1の予め設定された期間において漸進的に減少する傾向を示すかどうかが判断される。盗難防止装置とピア装置との間の通信信号の信号強度値が、接続が切断される前に、第1の予め設定された期間において漸進的に減少する傾向を示す場合には、警報が直ちに発せられる。歩数値が予め設定された値より大きく、かつ、信号強度値が、接続が切断される前の第1の予め設定された期間において漸進的に減少する傾向を示さず、かつ、接続が、切断された後に第2の予め設定された期間の間に回復されない場合には、警報が直ちに発せられる。従来技術では、盗難防止装置は、信号接続が切断された後に直ちに警報を発する。実際には、ピア装置と盗難防止装置との距離が予め設定された距離を超えていなくても、信号接続が切断される場合があり得る（たとえば、盗難防止装置とピア装置との間の障害は、チャネル環境の劣化を引き起こす）。したがって、盗難防止装置は、誤った振動通知を与える。本発明のこの実施形態で提供される紛失防止通知方法は、ブルートゥースの紛失通知の精度を向上させることができ、紛失していない場合の誤った振動通知を回避することができる。
【００９１】
実施形態5
本発明のこの実施形態は、盗難防止装置を提供する。図5に示すように、盗難防止装置は、プロセッサ501、警報器502、加速度センサ503、アナンシエータ504、およびプロセッサに接続されたメモリ505を含む。メモリ505はコード群を格納し、プロセッサ501はメモリ505内のコードを呼び出して、以下の動作を実施するように構成される。
【００９２】
プロセッサ501は、盗難防止装置とピア装置との間の接続が切断される前の第1の予め設定された期間の歩数値が予め設定された値よりも大きいかどうかを判断するように構成され、ここで第1の予め設定された期間は接続が切断された瞬間に先立つ期間である。
【００９３】
プロセッサ501は、歩数値が予め設定された値より大きい場合には、盗難防止装置とピア装置との間の通信信号の信号品質値シーケンスが、接続が切断される前に、第1の予め設定された期間において漸進的に減少する傾向を示すかどうかを判断するようにさらに構成される。
【００９４】
プロセッサ501は、歩数値が予め設定された値より大きく、かつ、盗難防止装置とピア装置との間の通信信号の信号品質値シーケンスが、接続が切断される前の第1の予め設定された期間にある場合には、警報器502を起動させるようにさらに構成される。
【００９５】
プロセッサ501は、歩数値が予め設定された値よりも大きく、かつ、盗難防止装置とピア装置との間の通信信号の信号品質値シーケンスが、接続が切断される前の第1の予め設定された期間に漸進的に減少する傾向を示さず、かつ、切断された後に接続が第2の予め設定された期間に回復されない場合には、警報器502を起動させるようにさらに構成される。
【００９６】
プロセッサ501は、歩数値が予め設定された値よりも大きくなく、かつ、切断された後に接続が第2の予め設定された期間に回復されない場合には、警報器502を起動させるようにさらに構成される。
【００９７】
アナンシエータ504は、プロセッサ501に接続され、信号を送受信し、ピア装置との信号接続を行うように構成される。たとえば、アナンシエータ504は、ブルートゥース信号を送受信し、ピア装置とブルートゥース接続を行うことができるブルートゥースモジュールであってもよい。
【００９８】
また、アナンシエータ504は、信号のRSSI値をさらに格納する。プロセッサ501は、アナンシエータ504に格納されたRSSI値シーケンスの変動傾向を決定する。
【００９９】
警報器502は、プロセッサ501に接続され、プロセッサ501の起動に従って警報を発するように構成される。警報器502は、ブザー、LED光などであってもよく、プロセッサ501の起動に従って、ブザーを鳴らしたり、LED光を点滅させたりする。
【０１００】
プロセッサ501は、歩数値が予め設定された値よりも小さく、かつ、接続が、切断された後に第2の予め設定された期間に回復されたと判断した場合に、警報器502を起動することを開始することをスキップするようにさらに構成される。
【０１０１】
プロセッサ501は、歩数値が予め設定された値よりも小さく、かつ、信号接続が第2の予め設定された期間の後に回復された場合に、警報器502を起動することをスキップするようにさらに構成される。
【０１０２】
加速度センサ503は、プロセッサ501に接続され、ユーザの動きを検出し、検出したデータをプロセッサ501に報告するように構成される。
【０１０３】
プロセッサ501は、盗難防止装置とピア装置との間の接続が切断される前の第1の予め設定された期間の歩数値が予め設定された値より大きいかどうかを判断する前に、接続が切断される前の第1の予め設定された期間にある歩数値を得るように、各瞬間に先立つ第1の予め設定された期間にある歩数を加速度センサ503によって報告されたデータしたがってリアルタイムでカウントするようにさらに構成される。
【０１０４】
アナンシエータ504は、ピア装置との信号接続を行うように、たとえば、ピア装置とのブルートゥース接続を行うように構成される。
【０１０５】
上記の第1の予め設定された期間、第2の予め設定された期間、および予め設定された値はすべて、盗難防止装置のユーザによって設定されるが、これに限定されるものではない。
【０１０６】
本発明のこの実施形態に提供される盗難防止装置によれば、盗難防止装置の接続が切断された場合には、盗難防止装置は、接続が切断される瞬間に先立つ第1の予め設定された期間にある歩数値を直ちに決定する。歩数値が予め設定された値より大きいと判断された場合には、盗難防止装置とピア装置との間の通信信号の信号強度値が、接続が切断される前に、第1の予め設定された期間において漸進的に減少する傾向を示すかどうかが判断される。盗難防止装置とピア装置との間の通信信号の信号強度値が、接続が切断される前に、第1の予め設定された期間において漸進的に減少する傾向を示す場合には、警報が直ちに発せられる。歩数値が予め設定された値より大きく、かつ、信号強度値が、接続が切断される前の第1の予め設定された期間において漸進的に減少する傾向を示さず、かつ、接続が、切断された後に第2の予め設定された期間の間に回復されない場合には、警報が直ちに発せられる。従来技術では、盗難防止装置は、信号接続が切断された後に直ちに警報を発する。実際には、ピア装置と盗難防止装置との距離が予め設定された距離を超えていなくても、信号接続が切断される場合があり得る（たとえば、盗難防止装置とピア装置との間の障害は、チャネル環境の劣化を引き起こす）。したがって、盗難防止装置は、誤った振動通知を与える。本発明のこの実施形態で提供される紛失防止通知方法は、ブルートゥースの紛失通知の精度を向上させることができ、紛失していない場合の誤った振動通知を回避することができる。
【０１０７】
当業者には明確に理解できることであろうが、説明を簡便で簡潔にするために、上記のシステム、装置、およびユニットの詳細な作動処理については、上記の方法の実施形態における対応する処理を参照することができ、詳細については再度の説明を省略する。
【０１０８】
本出願で提供されるいくつかの実施形態では、開示されたシステム、装置、および方法は、他の方法で実施することができることを理解されたい。たとえば、記載された装置の実施形態は単なる例示にすぎない。たとえば、ユニット分割は単なる論理機能の分割であって、実際の実施では他の分割であってもよい。たとえば、複数のユニットまたは構成要素は、組み合わせてもよいし、あるいは別のシステムに統合してもよいし、あるいはいくつかの特徴は無視してもよいし、実行しなくてもよい。さらに、表示または説明された相互結合または直接結合または通信接続は、いくつかのインターフェースを介して実現することができる。装置またはユニット間の間接結合または通信接続は、電子的または他の形態で実現することができる。
【０１０９】
個別の部品として記載されたユニットは物理的に分離されてもよいし、されなくてもよく、ユニットとして表示された部品は物理的なユニットであってもよいし、そうでなくてもよく、物理的なユニットは1つの場所に配置されてもよいし、複数のネットワークユニット上に分散されてもよい。ユニットのいくつかまたは全部は、実施形態の解決策の目的を達成するための実際の必要に従って選択することができる。
【０１１０】
さらに、本発明の実施形態における機能ユニットは、1つの処理ユニットに統合してもよいし、あるいはユニットの各々が物理的に単独で存在してもよいし、あるいは2つ以上のユニットが1つのユニットに一体化されてもよい。統合されたユニットは、ハードウェアの形態で実現されてもよいし、あるいは、ソフトウェア機能ユニットの形態に加えてハードウェアの形態で実現されてもよい。
【０１１１】
前述した統合されたユニットがソフトウェア機能ユニットの形態で実現される場合には、統合されたユニットはコンピュータ可読記憶媒体に格納することができる。ソフトウェア機能ユニットは、記憶媒体に格納され、本発明の実施形態において説明された方法のステップのいくつかを実行するために、コンピュータデバイス（パーソナルコンピュータ、サーバ、またはネットワークデバイスであってもよい）に命令するためのいくつかの命令を含む。
【０１１２】
最後に、上記の実施形態は、本発明を限定するためのものではなく、本発明の技術的解決策を説明するためのものにすぎないことに留意されたい。本発明について上記の実施形態を参照して詳細に説明したが、当業者であれば、本発明の実施形態の技術的解決策の範囲から逸脱することなく、上記の実施形態に記載された技術的解決策に改変を行い、あるいはそのいくつかの技術的特徴に等価な置換を行うことができることを理解すべきである。
【符号の説明】
【０１１３】
401  判断部
402  警報部
501  プロセッサ
502  警報器
503  加速度センサ
504  アナンシエータ
505  メモリ
【図１】
0006448776.tif 000002
【図２】
0006448776.tif 000003
【図３】
0006448776.tif 000004
【図４】
0006448776.tif 000005
【図５】
0006448776.tif 000006